(57)【特許請求の範囲】
【請求項１】
支台歯から歯冠補綴物を取り外すためのシール部材であり、シート状のシール本体と、前記シール本体の裏面に形成され、前記歯冠補綴物の周囲面の所定の位置に接着する粘着面と、前記粘着面を保護する剥離紙とを有する前記シール部材により形成され、
前記歯冠補綴物に接着された前記シール部材の厚み部分となる前記シール本体の端面に、前記歯冠補綴物を抜く歯科器具を当て移動させることで、前記歯冠補綴物を取り外す歯冠補綴物取り外し用治具。
【請求項２】
前記粘着面は、前記歯冠補綴物の抜き方向における基側の一端部が、前記基側と反対の先側の他端部より幅広に形成された請求項１記載の歯冠補綴物取り外し用治具。
【請求項３】
前記粘着面は、前記一端部から前記他端部に向かって徐々に幅が狭くなる請求項２記載の歯冠補綴物取り外し用治具。
【請求項４】
前記シール部材には、前記歯冠補綴物を抜く歯科用器具が引っ掛けるための切り欠き部分による凹部が形成されている請求項１から３のいずれかの項に記載の歯冠補綴物取り外し用治具。
【請求項５】
支台歯から歯冠補綴物を取り外すためのシート状のシール部材であり、前記歯冠補綴物を抜く歯科用器具が引っ掛けるための帯状部と、前記帯状部の両端部に連続して形成され、前記歯冠補綴物の周囲面の所定の位置に接着する粘着面が形成された接着部と、前記粘着面を保護する剥離紙とを備えた前記シール部材により形成された歯冠補綴物取り外し用治具。
【請求項６】
支台歯から歯冠補綴物を取り外すためのシート状のシール部材であり、前記歯冠補綴物を抜く歯科用器具が引っ掛けるための輪状部と、前記輪状部に連続して形成され、前記歯冠補綴物の周囲面の所定の位置に接着する粘着面が形成された接着部と、前記粘着面を保護する剥離紙とを備えた前記シール部材により形成された歯冠補綴物取り外し用治具。
【請求項７】
支台歯から歯冠補綴物を取り外すためのシート状のシール部材が袋状に形成された袋状部であり、前記歯冠補綴物を抜く歯科用器具が引っ掛けるための前記袋状部に、前記歯冠補綴物の周囲面の所定の位置に接着する粘着面が形成され、
前記粘着面を保護する剥離紙を備えた歯冠補綴物取り外し用治具。
【請求項８】
前記粘着面は、第１粘着面と、前記第１粘着面より低い接着力を有する第２粘着面とを備え、
前記歯冠補綴物の抜き方向における基側は、前記第１粘着面の幅が前記第２粘着面より広く形成され、
前記抜き方向における先側は、前記第１粘着面の幅が前記第２粘着面より狭く形成された請求項１から７のいずれかの項に記載の歯冠補綴物取り外し用治具。
【請求項９】
前記シール部材には、歯冠補綴物と他の歯冠補綴物とを識別するための識別情報が付与された請求項１から８のいずれかの項に記載の歯冠補綴物取り外し用治具。
【発明の詳細な説明】
【技術分野】
【０００１】
本発明は、工具が引っ掛けることで歯冠補綴物を支台歯から取り外すための歯冠補綴物取り外し用治具に関するものである。
【背景技術】
【０００２】
う蝕が進行し過ぎてしまい、健康な歯冠部の大部分が欠損してしまうと、裂溝を切削して嵌め込むようなインレーでは対応ができない。そのため、歯科医師は、治療が必要な歯牙の歯冠部を切削して支台歯とし、歯冠補綴物を被せることにより治療する。このとき、歯冠補綴物を支台歯に被せる方向が、支台歯の突出方向からずれていたり、噛み合わせをした結果、咬合面の形状の微調整が必要であったりしたときに、一度、支台歯に被せた歯冠補綴物を取り外すことがある。このような歯冠補綴物に操作用突起を設けたものが特許文献１に記載されている。
【０００３】
この特許文献１に記載の操作用突起部を設けた歯科補綴物の製造方法は、歯科補綴物操作用の突起部を包含する支持部を付加してなる歯科補綴物の形状モデルを設定する工程と、加工装置の加工物保持部に歯科補綴物製造用の素材を設置する工程と、支持部を設けない５面を加工すると共に、支持部を設けた１面を加工して、突起部の設定形状に対応する突起部を形成する工程と、を有するというものである。
【先行技術文献】
【特許文献】
【０００４】
【特許文献１】特開平８−２９９３６６号公報
【発明の概要】
【発明が解決しようとする課題】
【０００５】
しかし、特許文献１に記載の操作用突起部を設けた歯科補綴物の製造方法では、操作用突起を、金属製の素材から削り出すことにより形成された突起部としているため、歯冠補綴物用素材として使用される高価な金属、例えば、金や銀、銀合金、ジルコニウムなどを余計に使用してしまう。
【０００６】
そこで本発明は、歯冠補綴物への操作が容易にでき、かつ安価に作製することができる歯冠補綴物取り外し用治具を提供することを目的とする。
【課題を解決するための手段】
【０００７】
本発明に係る歯冠補綴物取り外し用治具は、歯冠補綴物の周囲面の所定の位置に接着する粘着面を有するシール部材により形成されたことを特徴とする。
【０００８】
本発明に係る歯冠補綴物取り外し用治具によれば、シール部材の接着面が、歯冠補綴物の周囲面の所定の位置に接着することで、シール部材を表面が滑らかな歯冠補綴物の突起として機能させることができる。従って、シール部材に歯科用器具の先端を引っ掛けることで、支台歯から歯冠補綴物を取り外すことができる。
【０００９】
前記粘着面は、前記歯冠補綴物の抜き方向における基側の一端部が、前記基側と反対の先側の他端部より幅広に形成されていると、歯科用器具をシール部材に引っ掛ける際に、幅広に形成された一端部に引っ掛けやすく、シール部材を剥がすときに他端部から引き剥がせば剥がしやすい。
【００１０】
前記粘着面は、前記一端部から前記他端部に向かって徐々に幅が狭くなると、他端部からシール部材を引き剥がと、徐々に他端部から浮き上がるようにして歯冠補綴物から剥がれるので、更にシール部材を剥がしやすくすることができる。
【００１１】
前記シール部材には、前記歯冠補綴物を抜く歯科用器具が引っ掛けるための凹部が形成されていることが望ましい。
歯科用器具を凹部に引っ掛けることで、容易に引っ掛けることができる。また、歯冠補綴物を抜くために歯科用器具に力を掛けても、しっかりと、歯科用器具の先端が凹部に入っているため凹部から外れにくい。
【００１２】
前記シール部材は、前記歯冠補綴物を抜く歯科用器具が引っ掛けるための帯状部と、前記帯状部の両端部に連続して形成され、粘着面が形成された接着部とを備えていることが望ましい。帯状部に歯科用器具の先端を引っ掛けることで、帯状部が、その帯幅により歯科用器具の先端に担持されるため、確実に帯状部に先端を引っ掛けさせることができ、外れ難くすることができる。
【００１３】
前記シール部材は、前記歯冠補綴物を抜く歯科用器具が引っ掛けるための輪状部と、前記輪状部に連続して形成され、粘着面が形成された接着部とを備えていることが望ましい。輪状部に歯科用器具の先端を引っ掛けることで、輪状部が、その帯幅により歯科用器具の先端に担持されるため、確実に帯状部に先端を引っ掛けさせることができる。また、接着部を複数設ける必要が無いため、複数の接着部の接着状態が斜めになっているとか、一方が剥がれそうだとか、気にすることなく、シール部材を簡単に歯冠補綴物に貼り付けることができる。
【００１４】
前記シール部材を、前記歯冠補綴物を抜く歯科用器具が引っ掛けるための袋状部に、粘着面が形成されたものとすることもできる。シール部が袋状に形成されているため、歯科用器具を引っ掛けやすい。
【００１５】
前記シール部材に、突起部が形成されていることが望ましい。突起部が形成されていると、突起部を持ってシール部材を移動させることで、歯冠補綴物を取り外したり、シール部材を歯冠補綴物から剥がしたりすることができる。
【００１６】
前記粘着面は、第１粘着面と、前記第１粘着面より低い接着力を有する第２粘着面とを備え、前記第１粘着面は、前記第２粘着面より、前記歯冠補綴物の抜き方向における基側の一端部の広い領域に形成され、前記第２粘着面は、前記第１粘着面より、前記基側と反対の先側の他端部の広い領域に形成されたことが望ましい。一端部の広い領域に形成された第１粘着面が、しっかりと歯冠補綴物に貼り付いて、シール部材を持ち上げて歯冠補綴物を取り外すときのシール部材の剥がれを防止する。また、粘着面の他端部は、第１粘着面より接着力の弱い第２粘着面が第１粘着面より広い領域に形成されているため、一端部側からシール部材を歯冠補綴物から引き剥がすより、容易にシール部材を剥がすことができる。
【００１７】
前記シール部材には、歯冠補綴物と他の歯冠補綴物とを識別するための識別情報が付与されているのが望ましい。歯科技工所にて歯科技工士が歯冠補綴物を作製するときに、識別情報が付与されたシール部材を、本発明の歯冠補綴物取り外し用治具として、歯冠補綴物に貼り付ける。そうすることにより、歯冠補綴物が歯科技工所から歯科医院に運搬され、患者の支台歯に被せるとまでの間に、他の歯冠補綴物と紛れたり、取り違いたりしても、識別情報に基づいて探したり取り扱ったりすることで、他人のものとの間違いを防止することができる。
【００１８】
本発明に係る歯冠補綴物取り外し用治具の装着方法は、本発明の歯冠補綴物取り外し用治具を、該歯冠補綴物と他の歯冠補綴物とを識別するための識別情報であり、歯冠補綴物に付与された識別情報の上に貼り付けることを特徴とする。
【００１９】
本発明に係る歯冠補綴物取り外し用治具の装着方法によれば、歯冠補綴物に付与された識別情報の上にシール部材が貼り付けられているため、シール部材により識別情報を保護することができる。従って、歯冠補綴物を取り扱っているときや、歯冠補綴物を運搬しているときに、識別情報に傷が付いたり摩耗したりすることが防止できる。
【発明の効果】
【００２０】
本発明によれば、シール部材に歯科用器具の先端を引っ掛けることで、支台歯から歯冠補綴物を取り外すことができるので、歯冠補綴物への操作が容易にでき、かつ安価に作製することができる歯冠補綴物取り外し用治具を得ることができる。
【図面の簡単な説明】
【００２１】
【図１】本発明の実施の形態１に係る歯冠補綴物取り外し用治具としてのシール部材を歯冠補綴物に貼り付けた状態を示す正面図である。
【図２】図１に示す歯冠補綴物にシール部材を貼り付けた状態の右側面図である。
【図３】図１に示すシール部材の図であり、（Ａ）はおもて面の図、（Ｂ）は粘着面となる裏面の図である。
【図４】図１に示す歯冠補綴物に貼り付けたシール部材を剥がす操作を説明するための図である。
【図５】本発明の実施の形態２の係る歯冠補綴物取り外し用治具としてのシール部材を示す図であり、（Ａ）はおもて面の図、（Ｂ）は粘着面となる裏面の図である。
【図６】図５に示す歯冠補綴物に貼り付けたシール部材を剥がす操作を説明するための図である。
【図７】本発明の実施の形態３の係る歯冠補綴物取り外し用治具としてのシール部材を示す図であり、（Ａ）はおもて面の図、（Ｂ）は粘着面となる裏面の図である。
【図８】図７に示す歯冠補綴物に貼り付けたシール部材を剥がす操作を説明するための図である。
【図９】本発明の実施の形態４の係る歯冠補綴物取り外し用治具としてのシール部材を示す図であり、（Ａ）はおもて面の図、（Ｂ）は粘着面となる裏面の図である。
【図１０】本発明の実施の形態５の係る歯冠補綴物取り外し用治具としてのシール部材を示す図であり、（Ａ）はおもて面の図、（Ｂ）は粘着面となる裏面の図である。
【図１１】本発明の実施の形態６の係る歯冠補綴物取り外し用治具としてのシール部材を示す図であり、（Ａ）はおもて面の図、（Ｂ）は粘着面となる裏面の図である。
【図１２】本発明の実施の形態７の係る歯冠補綴物取り外し用治具としてのシール部材を示す図であり、（Ａ）は開口部側から見た斜視図、（Ｂ）は粘着面となる裏面の図である。
【図１３】図１２に示す歯冠補綴物取り外し用治具の変形例としてのシール部材を示す図であり、（Ａ）は開口部側から見た斜視図、（Ｂ）は粘着面となる裏面の図である。
【図１４】本発明の実施の形態８の係る歯冠補綴物取り外し用治具としてのシール部材を示す図であり、（Ａ）は開口部側から見た斜視図、（Ｂ）は粘着面となる裏面の図である。
【図１５】図１４に示す歯冠補綴物取り外し用治具の変形例としてのシール部材を示す図であり、（Ａ）は開口部側から見た斜視図、（Ｂ）は粘着面となる裏面の図である。
【図１６】本発明の実施の形態９の係る歯冠補綴物取り外し用治具としてのシール部材を示す図であり、（Ａ）は開口部側から見た斜視図、（Ｂ）は粘着面となる裏面の図である。
【図１７】図１６に示す歯冠補綴物取り外し用治具の変形例としてのシール部材を示す図であり、（Ａ）は開口部側から見た斜視図、（Ｂ）は粘着面となる裏面の図である。
【図１８】本発明の実施の形態１０の係る歯冠補綴物取り外し用治具としてのシール部材を示す斜視図である。
【図１９】本発明の実施の形態１０の係る歯冠補綴物取り外し用治具としてのシール部材の変形例を示す斜視図であり、（Ａ）は第１変形例の斜視図、（Ｂ）は第２変形例の斜視図である。
【図２０】本発明の実施の形態１１の係る歯冠補綴物取り外し用治具を説明するための図である。
【図２１】本発明の実施の形態１２の係る歯冠補綴物取り外し用治具の装着方法を説明するための図である。
【発明を実施するための形態】
【００２２】
（実施の形態１）
本発明の実施の形態１に係る歯冠補綴物取り外し用治具について図面に基づいて説明する。図１および図２に示すように歯冠補綴物１０は、例えば、治療が必要な臼歯を切削して形成された支台歯２０に被せられる全部鋳造冠である。
この歯冠補綴物１０の周囲面１１の所定の位置には、歯冠補綴物取り外し用治具が配置されている。歯冠補綴物取り外し用治具は、粘着面を有するシール部材３１により形成されている。
【００２３】
シール部材３１は、図３（Ａ）および同図（Ｂ）に示すように、三角形状に形成されたシール本体３１１と、シール本体３１１の接着側に接着材が塗布されて形成された粘着面３１２とを備えている。
シール部材３１が三角形状に形成されていることで、歯冠補綴物１０の抜き方向Ｆ１（図１参照）における基側の一端部３１ｍ（底辺３１ａ）が幅広く、基側の反対の他端部３１ｎ（頂点３１ｂ）が一端部３１ｍより幅狭く形成されている。特に、シール部材３１が三角形状であるため、粘着面３１２の幅が、一端部３１ｍから他端部３１ｎに向かって徐々に狭くなるように形成されている。ここで、幅とは、抜き方向Ｆ１と直交する方向の粘着面の長さである。
【００２４】
シール本体３１１は、紙製または合成樹脂製等とすることができる。粘着面３１２は、アクリル系やゴム系、シリコーン系などの接着材による接着層により形成されている。シール部材３１が歯冠補綴物１０に貼り付けられる前の状態では、粘着面３１２は剥離紙により保護されていることが望ましい。
【００２５】
以上のように構成された本発明の実施の形態１に係る歯冠補綴物取り外し用治具の使用状態を図面に基づいて説明する。
歯冠補綴物１０は、シール部材３１が貼り付けられた状態で、接着材などを用いずに、支台歯２０に被せた状態である。従って、歯冠補綴物１０は支台歯２０から取り外し可能な状態である。
【００２６】
表面が研磨により滑るような鏡面に仕上げられている歯冠補綴物１０にシール部材３１が貼り付けられていることで、シール部材３１が歯冠補綴物１０の出っ張りとして機能する。
支台歯２０に被せた歯冠補綴物１０を取り外したいときには、歯科医師は、図４に示すように、探針またはエクスプローラーと称される先端５１が尖った歯科用器具５０をシール部材３１の一端部３１ｍの厚み部分となる端面３１ｓ（図２および図４参照）に当てる。
そして、歯科医師は、抜き方向となる支台歯２０が下顎の臼歯であれば歯科用器具５０を上方へ、上顎の臼歯であれば下方へ移動させる。
【００２７】
歯科用器具５０の先端５１がシール部材３１の一端部３１ｍの端面３１ｓに引っ掛かっており、シール部材３１における一端部３１ｍの端面３１ｓを歯冠補綴物１０の周囲面１１の沿って抜き方向へ移動させると、シール部材３１は粘着面３１２全体で歯冠補綴物１０との接着状態を維持しようとする。そのため、シール部材３１は歯冠補綴物１０から剥がれずに、歯冠補綴物１０が支台歯２０から浮き上がり、外れる。
シール部材３１は、一端部３１ｍが他端部３１ｎより幅広いため、しっかりと接着状態を維持することができる。
【００２８】
そして、歯冠補綴物１０と、歯冠補綴物１０と対向する歯牙との噛み合わせが不良であれば、歯科医師は、歯冠補綴物１０の咬合面の形状を調整した後に、歯冠補綴物１０を支台歯２０に被せる。また、歯冠補綴物１０を支台歯２０に被せたときの姿勢が不良であれば、歯科医師は、歯冠補綴物１０による支台歯２０への挿入姿勢を調整して支台歯２０に被せる。このような歯冠補綴物１０の操作を繰り返して、最終的に、歯冠補綴物１０の歯根側の凹部内に接着材を入れ、歯冠補綴物１０を支台歯２０に被せ、固定する。
【００２９】
歯冠補綴物１０を支台歯２０に固定することが完了すると、歯科医師はシール部材３１を歯冠補綴物１０から引き剥がす。シール部材３１を歯冠補綴物１０から引き剥がすときには、シール部材３１の他端部３１ｎ側から行う。
例えば、シール部材３１の他端部３１ｎをピンセットや指先で挟み持ち上げるようにする。そうすることにより、シール部材３１の粘着面３１２は引き剥がし部分だけで、歯冠補綴物１０の周囲面１１との接着を維持しようとするため、シール部材３１は徐々に一端部３１ｍへ向かって引き剥がし部分が拡がり、最終的にシール部材３１全部が歯冠補綴物１０から剥がれる。
【００３０】
シール部材３１の他端部３１ｎは、一端部３１ｍより幅が狭いため、他端部３１ｎから簡単に剥がれる。特に、シール部材３１が三角形状であるため、粘着面３１２の幅が、一端部３１ｍから他端部３１ｎに向かって徐々に狭くなるように形成される。従って、他端部３１ｎから一端部３１ｍ側へ向かってシール部材３１を徐々に引き剥がすことで、シール部材３１がスムーズに剥がれる。
【００３１】
このようにして、歯冠補綴物１０を支台歯２０から取り外すときに、シール部材３１を操作用突起として機能させることができ、作業が完了したときにシール部材３１を簡単に引き剥がすことができる。また、シール部材３１は、シール本体３１１に粘着面３１２を形成しただけなので、金属製の突起より十分に安価に形成することができる。
従って、シール部材３１は、歯冠補綴物１０への操作が容易にでき、かつ安価に作製することができる。
【００３２】
（実施の形態２）
本発明の実施の形態２に係る歯冠補綴物取り外し用治具について図面に基づいて説明する。図５（Ａ）および同図（Ｂ）に示すように、本実施の形態２に係る歯冠補綴物取り外し用治具としてのシール部材３２は、図２に示すシール部材３１と同様に、シール本体３２１と、粘着面３２２とを備えている。このシール部材３２は、歯冠補綴物を抜く歯科用器具が引っ掛けるための三角形状の凹部３２ｗが形成された三角形状に形成されている。
【００３３】
シール部材３２に凹部３２ｗが形成されているため、歯科医師は歯科用器具の先端を凹部３２ｗに入れることで、凹部３２ｗの輪郭を形成するＶ字状の端面３２ｓに歯科用器具の先端を容易に引っ掛けることができる。また、歯冠補綴物を抜くために歯科用器具に力を掛けても、しっかりと、歯科用器具の先端が凹部３２ｗに入っているため凹部３２ｗから外れにくい。従って、シール部材３２の操作性を更に向上させることができる。
【００３４】
また、歯冠補綴物１０の抜き方向Ｆ１における基側の一端部３２ｍが幅広く、基側の反対の他端部３２ｎが、一端部３２ｍより幅狭く形成されている。特に、切り欠き部分を含めたシール部材３２の形状が三角形状であるため、粘着面３２２の幅が、一端部３２ｍから他端部３２ｎに向かって徐々に狭くなるように形成されている。
従って、シール部材３２は、実施の形態１に係るシール部材３１と同様の作用効果を得ることができる。
【００３５】
なお、図５（Ａ）および同図（Ｂ）では、シール本体３２１が三角形状に形成されていたが、半円形状でもよい。
このとき、粘着面は、歯冠補綴物の抜け方向における基側の一端部から、反対側の他端部に向かって徐々に幅が狭くなるように形成されているのが望ましいため、半円形状としたシール部材でも、凹部を形成する場合には、一端部に設けるのが望ましい。
【００３６】
（実施の形態３）
本発明の実施の形態３に係る歯冠補綴物取り外し用治具について図面に基づいて説明する。図７（Ａ）および同図（Ｂ）に示すように、本実施の形態３に係る歯冠補綴物取り外し用治具としてのシール部材３３は、歯冠補綴物を抜く歯科用器具が引っ掛けるための帯状部３３１と、帯状部３３１の両端部に連続して形成され、粘着面３３２が形成された接着部３３３とを備えたものである。
【００３７】
このように形成されたシール部材３２を用いて、図８に示すように歯冠補綴物１０を支台歯２０から取り外すときには、帯状部３３１に歯科用器具５０の先端５１を引っ掛ける。図１に示すシール部材３１では厚みとなる端面３１ｓに歯科用器具を引っ掛けていたが、図８に示すシール部材３３では、帯状部３３１に歯科用器具５０の先端５１を引っ掛けることで、歯科用器具５０の先端５１の引っ張りにより、帯状部３３１が接着部３３３から延びるＶ字状に変形する。従って、帯状部３３１が、その帯幅により歯科用器具５０の先端５１に担持されるため、確実に帯状部３３１に先端５１を引っ掛けさせることができ、外れ難くすることができる。
【００３８】
そして、歯科用器具５０の先端５１を帯状部３３１に引っ掛け、歯冠補綴物１０の周囲面に沿って真っ直ぐに抜き方向に移動させることで、歯冠補綴物１０が抜き方向に引っ張られ、支台歯２０から抜ける。
【００３９】
シール部材３３を歯冠補綴物１０から引き剥がすときには、歯科用器具５０の先端５１を帯状部３３１に引っ掛け、抜き方向側に引っ張った状態で、接着部３３３を中心に、歯科用器具５０の先端５１が円弧を描くようにして歯科用器具５０の先端５１を反対側へ移動させる。そうすることで、接着部３３３が帯状部３３１との境界部分から次第に剥がれ、最終的に接着部３３３全体が剥がれることで、シール部材３３を歯冠補綴物１０から引き剥がすことができる。
【００４０】
（実施の形態４）
本発明の実施の形態４に係る歯冠補綴物取り外し用治具について図面に基づいて説明する。なお、図９においては、図７と同じ構成のものは同符号を付して説明を省略する。
図９（Ａ）および同図（Ｂ）に示す本実施の形態４に係る歯冠補綴物取り外し用治具としてのシール部材３４は、接着部３４３の粘着面３４２が三角形状に形成されている。
粘着面３４２が三角形状に形成されていることで、帯状部３３１が歯科用器具により抜き方向に引っ張られても、シール部材３４は粘着面３４２全体で歯冠補綴物１０との接着状態を維持しようとする。そのため、シール部材３４は歯冠補綴物から剥がれずに、歯冠補綴物が支台歯から浮き上がり、外れる。
【００４１】
しかし、シール部材３４を引き剥がすときには、粘着面３４２の幅が一端部３４３ｍから他端部３４３ｎに向かって徐々に狭くなるように形成されているため、帯状部３３１の中央部を引っ張った状態で、接着部３４３を中心に、帯状部３３１の中央部が円弧を描くようにして移動させる。そうすることで、接着力の弱い粘着面３４２の他端部３４３ｎから剥がれ始め、順次、一端部３４３ｍへ向かって、接着部３４３が歯冠補綴物から剥がる。従って、容易にシール部材３４を歯冠補綴物から引き剥がすことができる。
【００４２】
（実施の形態５）
本発明の実施の形態５に係る歯冠補綴物取り外し用治具について図面に基づいて説明する。図１０（Ａ）および同図（Ｂ）に示すように、本実施の形態５に係る歯冠補綴物取り外し用治具としてのシール部材３５は、歯冠補綴物を抜く歯科用器具が引っ掛けるための輪状部３５１と、輪状部３５１に連続して形成され、粘着面３５２が形成された接着部３５３とを備えている。
接着部３５３は、輪状部３５１の外縁から抜き方向Ｆ１とは反対方向に突出するように形成されている。
【００４３】
このようにシール部材３５が形成されていることで、輪状部３５１に歯科用器具の先端を引っ掛けることができるので、輪状部３５１の帯幅により歯科用器具の先端に担持させることができる。従って、確実に輪状部３５１に先端を引っ掛けさせることができる。
また、一つの接着部３５３を歯冠補綴物の周囲面に貼り付けるだけで、輪状部３５１を歯科用器具により引っ掛ける状態とすることができる。そのため、接着部３５３を複数設ける必要が無いので、図７に示すシール部材３３のように２つの接着部３３３の接着状態が斜めになっているとか、一方が剥がれそうだとか、気にすることなく、シール部材３５を簡単に歯冠補綴物に貼り付けることができる。
【００４４】
（実施の形態６）
本発明の実施の形態６に係る歯冠補綴物取り外し用治具について図面に基づいて説明する。図１１（Ａ）および同図（Ｂ）に示すように、本実施の形態６に係る歯冠補綴物取り外し用治具としてのシール部材３６は、矩形状に形成されたシール本体３６１と、シール本体３６１の接着側に接着材が塗布されて形成された粘着面３６２とを備えている。
粘着面３６２は、歯冠補綴物の抜き方向Ｆ１と直交する方向の中央部に形成された第１粘着面３６２ａと、第１粘着面３６２ａを挟んで両側に形成され、第１粘着面３６２ａより低い接着力を有する第２粘着面３６２ｂとを備えている。
【００４５】
第１粘着面３６２ａは、歯冠補綴物の抜き方向Ｆ１における基側の一端部３６２ｍから他端部３６２ｎに向かって徐々に幅が狭くなるような三角形状に形成されている。
第２粘着面３６２ｂは、反対に、他端部３６２ｎから一端部３６２ｍに向かって徐々に幅が狭くなるような三角形状に形成されている。
【００４６】
この第１粘着面３６２ａおよび第２粘着面３６２ｂにより粘着面３６２は、第１粘着面３６２ａおよび第２粘着面３６２ｂの輪郭形状に穿孔された型枠を介在させてシール本体３６１に接着材を塗布したり噴霧したりすることにより形成することができる。
また、粘着面３６２は、第１粘着面３６２ａおよび第２粘着面３６２ｂの形状に形成された接着シートをシール本体３６１に貼り付けることよっても形成することができる。
このようにシール部材３６は製造できるため安価なものとすることができる。
【００４７】
このように粘着面３６２が形成されていることで、第１粘着面３６２ａは、第２粘着面より、歯冠補綴物の抜き方向Ｆ１における基側の一端部３６２ｍの広い領域に形成されている。そして、第２粘着面３６２ｂは、第１粘着面３６２ａより、基側と反対の先側の他端部３６２ｎの広い領域に形成されている。
【００４８】
そうすることで、歯科用器具の先端で、シール本体３６１の一端部３６２ｍ側の端面３６ｓに引っ掛けて歯冠補綴物を取り外すときに、第１粘着面３６２ａと第２粘着面３６２ｂとにより形成された粘着面３６２全体でシール部材３６の接着を維持する。更に、一端部３６２ｍの広い領域に形成された第１粘着面３６２ａが、しっかりと歯冠補綴物に貼り付いて、シール部材３６の剥がれを防止する。
【００４９】
また、シール部材３６を剥がすときには、シール部材３６の他端部３６２ｎをピンセットや指先で挟み持ち上げるようにする。粘着面３６２の他端部３６２ｎは、第１粘着面３６２ａより接着力の弱い第２粘着面３６２ｂが第１粘着面３６２ａより広い領域に形成されている。そのため、一端部３６２ｍ側からシール部材３６を歯冠補綴物から引き剥がすより、容易にシール部材３６を剥がすことができる。
このようにシール部材３６は、歯冠補綴物への操作が容易にでき、かつ安価に作製することができる。
【００５０】
（実施の形態７）
本発明の実施の形態７に係る歯冠補綴物取り外し用治具について図面に基づいて説明する。図１２（Ａ）および同図（Ｂ）に示すように、本実施の形態７に係る歯冠補綴物取り外し用治具としてのシール部材３７１は、半円筒状（蒲鉾状）の袋状部３７１１に、粘着面３７１２が形成されたものである。袋状部３７１１は、奥行き方向に沿った一方の端部は半円状の開口部３７１１ａであり、袋状部３７１１の他方の端部は半円状の奥壁部３７１１ｂである。粘着面３７１２は、袋状部３７１１の矩形状の平坦部３７１１ｃに接着材が塗布されて形成されている。
【００５１】
このシール部材３７１を歯冠補綴物に貼り付けるときには、袋状部３７１１の開口部３７１１ａを歯根側に向け、奥壁部３７１１ｂを歯冠側に向け、粘着面３８１２を歯冠補綴物に貼る。
そして、歯科医師が歯科用器具の先端を開口部３７１１ａから差し込み、抜き方向となる支台歯が下顎の臼歯であれば、歯科用器具を上方へ、上顎の臼歯であれば下方へ移動させる。そうすることで、歯冠補綴物を支台歯から浮き上がらせて、外すことができる。
【００５２】
このシール部材３７１は、奥行き方向に向かって徐々に狭くなるように形成することができる。
図１３（Ａ）および同図（Ｂ）に示すように、本実施の形態７に係る歯冠補綴物取り外し用治具の変形例としてのシール部材３７２は、袋状部３７２１が開口部３７２１ａから奥行き方向に向かって徐々に半円が小さくなるように円錐面に形成されていることで、円錐を高さ方向に沿って半分に切断したような形状に形成されている。
袋状部３７２１の三角形状の平坦部３７２１ｂには、粘着面３７２２が形成されている。従って、粘着面３７２２は、一端部３７２２ａ（底辺）から他端部３７２２ｂ（頂点）に向かって徐々に幅方向が狭くなるように形成されている。よって、他端部３７２２ｂから一端部３７２２ａ側へ向かってシール部材３７２を徐々に引き剥がすことで、シール部材３７２をスムーズに剥がすことができる。
【００５３】
（実施の形態８）
本発明の実施の形態８に係る歯冠補綴物取り外し用治具について図面に基づいて説明する。図１４（Ａ）および同図（Ｂ）に示すように、本実施の形態８に係る歯冠補綴物取り外し用治具としてのシール部材３８１は、三角筒状の袋状部３８１１に、粘着面３８１２が形成されたものである。袋状部３８１１は、奥行き方向に沿った一方の端部は三角形状の開口部３８１１ａであり、袋状部３８１１の他方の端部は三角形状の奥壁部３８１１ｂである。粘着面３８１２は、袋状部３８１１の矩形状の平坦部３８１１ｃに接着材が塗布されて形成されている。
【００５４】
このシール部材３８１を歯冠補綴物に貼り付けるときには、袋状部３８１１の開口部３８１１ａを歯根側に向け、奥壁部３８１１ｂを歯冠側に向けて、粘着面３８１２を歯冠補綴物に貼る。
そして、歯科医師が歯科用器具の先端を開口部３８１１ａから差し込み、抜き方向となる支台歯が下顎の臼歯であれば、歯科用器具を上方へ、上顎の臼歯であれば下方へ移動させる。そうすることで、歯冠補綴物を支台歯から浮き上がらせて、外すことができる。
【００５５】
このシール部材３８１も、奥行き方向に向かって徐々に狭くなるように形成することができる。
図１５（Ａ）および同図（Ｂ）に示すように、本実施の形態８に係る歯冠補綴物取り外し用治具の変形例としてのシール部材３８２は、袋状部３８２１が開口部３８２１ａから奥行き方向に向かって徐々に三角形が小さくなるように三角錐面に形成されていることで、三角錐を高さ方向に沿って半分に切断したような形状に形成されている。
袋状部３８２１の三角形状の平坦部３８２１ｂには、粘着面３８２２が形成されている。従って、粘着面３８２２は、一端部３８２２ａ（底辺）から他端部３８２２ｂ（頂点）に向かって徐々に幅方向が狭くなるように形成されている。よって、他端部３８２２ｂから一端部３８２２ａ側へ向かってシール部材３８２を徐々に引き剥がすことで、シール部材３８２をスムーズに剥がすことができる。
【００５６】
（実施の形態９）
本発明の実施の形態９に係る歯冠補綴物取り外し用治具について図面に基づいて説明する。図１６（Ａ）および同図（Ｂ）に示すように、本実施の形態９に係る歯冠補綴物取り外し用治具としてのシール部材３９１は、台形筒状の袋状部３９１１に、粘着面３９１２が形成されたものである。袋状部３９１１は、奥行き方向に沿った一方の端部は半円状の開口部３９１１ａであり、袋状部３９１１の他方の端部は台形状の奥壁部３９１１ｂである。粘着面３９１２は、袋状部３９１１の矩形状の平坦部３９１１ｃに接着材が塗布されて形成されている。
【００５７】
このシール部材３９１を歯冠補綴物に貼り付けるときには、袋状部３９１１の開口部３９１１ａを歯根側に向け、奥壁部３９１１ｂを歯冠側に向け、粘着面３９１２を歯冠補綴物に貼る。
そして、歯科医師が歯科用器具の先端を開口部３９１１ａから差し込み、抜き方向となる支台歯が下顎の臼歯であれば、歯科用器具を上方へ、上顎の臼歯であれば下方へ移動させる。そうすることで、歯冠補綴物を支台歯から浮き上がらせて、外すことができる。
【００５８】
このシール部材３９１は、奥行き方向に向かって徐々に狭くなるように形成することができる。
図１７（Ａ）および同図（Ｂ）に示すように、本実施の形態７に係る歯冠補綴物取り外し用治具の変形例としてのシール部材３９２は、袋状部３９２１が開口部３９２１ａから奥行き方向に向かって徐々に台形が小さくなるように四角錐面に形成されている。
袋状部３９２１の三角形状の平坦部３９２１ｂには、粘着面３９２２が形成されている。従って、粘着面３９２２は、一端部３９２２ａ（底辺）から他端部３９２２ｂ（頂点）に向かって徐々に幅方向が狭くなるように形成されている。よって、他端部３９２２ｂから一端部３９２２ａ側へ向かってシール部材３９２を徐々に引き剥がすことで、シール部材３９２をスムーズに剥がすことができる。
【００５９】
（実施の形態１０）
本発明の実施の形態１０に係る歯冠補綴物取り外し用治具について図面に基づいて説明する。図１８に示すシール部材４１は、シール本体４１１が、図１に示すシール部材３１と同じ三角形状である。そして、シール本体４１１の接着側（裏面）には、接着材が塗布されて形成された粘着面４１２が設けられている。このシール本体４１１には、棒状の突起部４１３が形成されている。
突起部４１３には、シール本体４１１と平行に、かつ抜き方向Ｆ１と直交する方向に沿って貫通孔４１３ａが形成されている。
【００６０】
このシール部材４１は、歯冠補綴物の抜き方向Ｆ１における基側の一端部４１ｍ（底辺４１ａ）が幅広く、基側の反対の他端部４１ｎ（頂点４１ｂ）が一端部４１ｍより幅狭く形成されている。
【００６１】
シール部材４１により歯冠補綴物を取り外すときには、歯科用器具の先端をシール部材４１の一端部４１ｍに引っ掛けてシール部材４１を押し上げるだけでなく、シール部材４１には突起部４１３が形成されているため、突起部４１３を持って抜き方向Ｆ１へ移動させることでも歯冠補綴物を取り外すことができる。
また、シール部材４１を歯冠補綴物から引き剥がすときには、突起部４１３を持って抜き方向Ｆ１と反対方向へ移動させ、シール部材４１の他端部４１ｎ側から粘着面４１２を剥がすことでも、シール部材４１を歯冠補綴物から取り外すことができる。
【００６２】
また、突起部４１３を持って移動させるだけでなく、貫通孔４１３ａにデンタルフロスのような紐状部材を挿通させて、抜き方向Ｆ１へ移動させたり、反対方向へ移動させたりすることによっても、歯冠補綴物を取り外したり、シール部材４１を剥がしたりすることができる。更に、歯科用器具の尖った先端を貫通孔４１３ａに挿入して、歯冠補綴物を支台歯から剥がしたり、歯冠補綴物からシール部材４１を引き剥がしたりするようにしてもよい。
【００６３】
このようにシール部材４１によれば、シール部材４１に突起部４１３が形成されているため、歯科医用器具を用いなくても、簡単に歯冠補綴物を支台歯から取り外したり、シール部材４１を歯冠補綴物から剥がしたりすることができる。
【００６４】
図１８に示すシール部材４１は、シール本体４１１が三角形状であったが、例えば、図１９（Ａ）に示すシール部材４２は、シール本体４２１が円形に形成され、裏面には粘着面４２２が形成されている。このシール部材４２にも、棒状の突起部４２３が形成されている。そして、突起部４２３には、図１８と同様に、貫通孔４２３ａが形成されている。
【００６５】
このようにシール本体４２１が円形に形成されたシール部材４２であっても、突起部４２３が形成されているため、図１８に示すシール部材４１と同様に、突起部４２３を持ったり、また、貫通孔４２３ａに紐状部材を挿通させたりすることで、簡単に歯冠補綴物を支台歯から取り外したり、シール部材４２を歯冠補綴物から剥がしたりすることができる。
【００６６】
例えば、図１９（Ｂ）に示すシール部材４３は、図１９（Ａ）に示すシール本体４２１と同様に円形に形成され、裏面には粘着面４２２が形成されている。このシール部材４３にも、棒状の突起部４３３が形成されている。突起部４３３４には、シール本体４２１と平行に、貫通孔４３３ａが形成されている。また、突起部４３３には、胴部にはくびれ部４３３ｂが形成されている。くびれ部４３３ｂが形成されていることで、突起部４３３を掴みやすくすることができる。また、歯科用器具の先端を引っ掛けやすい。
【００６７】
なお、本実施の形態１０では、シール本体の輪郭形状が三角形であったり、矩形としたり、台形としたり、五角形以上の多角形としたりすることができる。
【００６８】
（実施の形態１１）
本発明の実施の形態１１に係る歯冠補綴物取り外し用治具について図面に基づいて説明する。図２０に示すシール部材３１ｘは、図１に示す実施の形態１に係るシール部材３１に、識別情報３１ｊが付与されたものである。
この識別情報３１ｊが付与されたシール部材３１ｘは、歯冠補綴物１０を作製した歯科技工士により歯冠補綴物１０を作製したときに予め貼り付けられる。シール部材３１ｘが装着された歯冠補綴物１０は、この状態で歯科技工所から歯科医院に搬送される。
【００６９】
識別情報３１ｊは、他の歯冠補綴物と区別ためのものである。識別情報３１ｊは、例えば、歯冠補綴物の製造番号とすることができる。また、識別情報３１ｊに歯冠補綴物１０を作製した歯科技工所の情報を含めることができる。図２０に示す識別情報３１ｊでは、アルファベットと数字の組み合わせとしているが、平仮名や漢字、片仮名としたり、これらを混合させたりすることができる。また、識別情報は、ロゴタイプとしたりマークとしたり、写真としたり、絵としたりすることができる。識別情報３１ｊはシール本体３１１への印刷としたり、刻印としたりすることができる。
【００７０】
このようにシール部材３１ｘに識別情報３１ｊが付与されていることで、歯冠補綴物１０が歯科技工所から歯科医院に運搬され、患者の支台歯に被せるとまでの間に、他の歯冠補綴物と紛れたり、取り違いたりしても、識別情報に基づいて探したり取り扱ったりすることで、他人のものとの間違いを防止することができる。
【００７１】
（実施の形態１２）
本発明の実施の形態１２に係る歯冠補綴物取り外し用治具の装着方法について図面に基づいて説明する。歯冠補綴物１０ｘは、図１に示す実施の形態１の歯冠補綴物１０に、識別情報１０ｊが付与されたものである。なお、図２１に示すシール部材３１は、図１に示す実施の形態１に係るシール部材３１と同じものである。
【００７２】
識別情報１０ｊは、実施の形態１０に係る識別情報３１ｊと同様に、例えば、歯冠補綴物の製造番号とすることができる。識別情報１０ｊは、印刷したり刻印としたりすることができる。
【００７３】
この識別情報１０ｊが付与された歯冠補綴物１０ｘは、歯科技工士により、歯冠補綴物１０を作製したときに、識別情報１０ｊの上に、シール部材３１ｘが予め貼り付けられる。識別情報１０ｊの上にシール部材３１ｘが装着された歯冠補綴物１０ｘは、この状態で、歯科技工所から歯科医院に搬送される。
【００７４】
このように、歯冠補綴物１０ｘに付与された識別情報１０ｊの上にシール部材３１が貼り付けられているため、シール部材３１により識別情報１０ｊを保護することができる。従って、歯冠補綴物１０ｘを取り扱っているときや、歯冠補綴物１０ｘを運搬しているときに、識別情報１０ｊに傷が付いたり摩耗したりすることが防止できる。
【００７５】
以上、本発明の実施の形態１〜１１に係る歯冠補綴物取り外し用治具について、図面に基づいて説明したが、本発明に係る歯冠補綴物取り外し用治具はこれらに限定されない。例えば、図１１（Ａ）および同図（Ｂ）に示す実施の形態６に係るシール部材３６の粘着面３６２は、実施の形態１〜５に係るシール部材３１〜３５と、実施の形態７〜１０に係るシール部材３７１，３７２，３８１，３８２，３９１，３９２，４１，４２の各粘着面としてもよい。
また、実施の形態１１に係るシール部材３１ｘの識別番号３１ｊは、他の実施の形態に係るシール部材に付与されていてもよい。
【００７６】
更に、図１，図２，図４，図６，図８では臼歯における全部鋳造冠である歯冠補綴物１０にシール部材３１〜３３を貼り付けることを例に説明した。しかし、本発明に係るシール部材を貼り付ける歯冠補綴物は、全部鋳造冠だけでなく、前装鋳造冠であっても、ブリッジであってもよい。
【産業上の利用可能性】
【００７７】
本発明は、歯冠補綴物を支台歯から何度も脱着させながら調整することができるので、歯科医院での治療に好適である。
【符号の説明】
【００７８】
１０，１０ｘ  歯冠補綴物
１１  周囲面
２０  支台歯
３１  シール部材
３１１  シール本体
３１２  粘着面
３１ａ  底辺
３１ｂ  頂点
３１ｍ  一端部
３１ｎ  他端部
３１ｓ  端面
３２  シール部材
３２１  シール本体
３２２  粘着面
３２ｍ  一端部
３２ｎ  他端部
３２ｓ  端面
３２ｗ  凹部
３３  シール部材
３３１  帯状部
３３２  粘着面
３３３  接着部
３４  シール部材
３４２  粘着面
３４３  接着部
３４３ｍ  一端部
３４３ｎ  他端部
３５  シール部材
３５１  輪状部
３５２  粘着面
３５３  接着部
３６  シール部材
３６ｓ  端面
３６１  シール本体
３６２  粘着面
３６２ｍ  一端部
３６２ｎ  他端部
３６２ａ  第１粘着面
３６２ｂ  第２粘着面
３７１  シール部材
３７１１  袋状部
３７１１ａ  開口部
３７１１ｂ  奥壁部
３７１１ｃ  平坦部
３７１２  粘着面
３７２  シール部材
３７２１  袋状部
３７２１ａ  開口部
３７２１ｂ  平坦部
３７２２  粘着面
３７２２ａ  一端部
３７２２ｂ  他端部
３８１  シール部材
３８１１  袋状部
３８１１ａ  開口部
３８１１ｂ  奥壁部
３８１１ｃ  平坦部
３８１２  粘着面
３８２  シール部材
３８２１  袋状部
３８２１ａ  開口部
３８２１ｂ  平坦部
３８２２  粘着面
３８２２ａ  一端部
３８２２ｂ  他端部
３９１  シール部材
３９１１  袋状部
３９１１ａ  開口部
３９１１ｂ  奥壁部
３９１１ｃ  平坦部
３９１２  粘着面
３９２  シール部材
３９２１  袋状部
３９２１ａ  開口部
３９２１ｂ  平坦部
３９２２  粘着面
３９２２ａ  一端部
３９２２ｂ  他端部
３１ｘ  シール部材
３１ｊ，１０ｊ  識別情報
４１，４２  シール部材
４１１，４２１  シール本体
４１２，４２２  粘着面
４１３，４２３，４３３  突起部
４１３ａ，４２３ａ，４２４ａ  貫通孔
４３３ｂ  くびれ部
４１ａ  底辺
４１ｂ  頂点
４１ｍ  一端部
４１ｎ  他端部
５０  歯科用器具
５１  先端
Ｆ１  抜き方向
【図１】
0006590211.tif 000002
【図２】
0006590211.tif 000003
【図３】
0006590211.tif 000004
【図４】
0006590211.tif 000005
【図５】
0006590211.tif 000006
【図６】
0006590211.tif 000007
【図７】
0006590211.tif 000008
【図８】
0006590211.tif 000009
【図９】
0006590211.tif 000010
【図１０】
0006590211.tif 000011
【図１１】
0006590211.tif 000012
【図１２】
0006590211.tif 000013
【図１３】
0006590211.tif 000014
【図１４】
0006590211.tif 000015
【図１５】
0006590211.tif 000016
【図１６】
0006590211.tif 000017
【図１７】
0006590211.tif 000018
【図１８】
0006590211.tif 000019
【図１９】
0006590211.tif 000020
【図２０】
0006590211.tif 000021
【図２１】
0006590211.tif 000022